(57)【要約】【課題】十字キーの十字方向の斜め方向の押下を可能にすると共に、キートップシートを平坦にすることができ、テンキーなどの良好なクリック感を維持することができるキーシートユニットを提供する。【解決手段】キーシートユニット５０は、（Ａ）キートップシート１０の背面に、（Ｂ）板金２０および樹脂フィルム３０が貼り付けられた構成である。キートップシート１０の十字キートップ１２の背面にリング状の板金２０が配置される。キートップシート１０のテンキートップ１４、電源キートップ１５などの背面には、板金２０と厚さが略同じの樹脂フィルム３０の略円形のテンキーフィルム３４、電源キーフィルム３５などが配置され、テンキーフィルム３４、電源キーフィルム３５などは、細い連結フィルム３１で連結される。【選択図】図１
2009224068.tif 000002
【特許請求の範囲】
【請求項１】
スイッチが十字状に複数個配置される十字キー用のキートップおよび他のキートップが複数主面側に形成されたシートと、
前記シートの背面側に貼り付けられ、前記十字キー用のキートップの十字状の複数箇所の押圧箇所とリング部分が重なる形状のリング状の板金と、
前記シートの背面側に貼り付けられ、前記板金と厚さが略同じで、前記他のキートップと個々に重なる配置のキートップ対応フィルムと、このキートップ対応フィルムの大きさより細い形状で、当該複数のキートップ対応フィルム間を繋ぐ連結フィルムとを有する樹脂フィルムと
を備えることを特徴とするキーシートユニット。
【請求項２】
スイッチが十字状に複数個配置される十字キー用のキートップおよび他のキートップが複数主面側に形成されたシートと、
前記シートの背面側に貼り付けられ、前記十字キー用のキートップの十字状の複数箇所の押圧箇所とリング部分が重なる形状のリング状の板金と、
前記シートの背面側に貼り付けられ、前記板金と厚さが略同じで、前記他のキートップと個々に重なる配置の樹脂性のキートップ対応フィルムと
を備えることを特徴とするキーシートユニット。
【請求項３】
前記他のキートップは、テンキー用キートップを有し、
前記キートップ対応フィルムの内、当該テンキー用キートップ対応のフィルムの面積は、前記テンキー用キートップのトップ部の面積より狭い
ことを特徴とする請求項１又は２に記載のキーシートユニット。
【請求項４】
前記他のキートップは、テンキー用キートップと電源キー用キートップを有し、
前記キートップ対応フィルムは、当該テンキー用キートップ対応のフィルムと、当該テンキー用キートップ対応のフィルムより広い電源キー用キートップ対応のフィルムを有する
ことを特徴とする請求項１又は２に記載のキーシートユニット。
【発明の詳細な説明】
【技術分野】
【０００１】
本発明は、十字キーおよびテンキーなどを有するキースイッチ用のキーシートユニットに関し、十字キーの十字方向の斜め方向の押下を可能にすると共に、他のテンキーなどの良好なクリック感を維持することができるキーシートユニットに関する。
【背景技術】
【０００２】
携帯電話機のキーは、十字キーやテンキーなどを有する。十字キーは、十字方向に計４個のスイッチを有する。この携帯電話機でゲーム機能を行なう場合には、十字キーで十字方向だけではなく、十字方向の間の斜め方向の操作も求められることが多い。十字キーの斜め部分が押された場合、押された斜め位置の両隣りの２個のスイッチが共にオンになる必要があり、十字キー部分は剛性が必要である。また、他のテンキーなどは、斜め方向の操作は不要であるが、良好なクリック感が求められる。
【０００３】
一方、携帯電話機は薄型化が進み、薄型化に適したキーがある（特許文献１参照。）。このマルチファンクションキーは、特許文献１の図６の接点押圧部７を有するキー接点部分と、図１や図７のキーシート部分とが重なった十字キー構造である。キーシート部分は、加飾シート１の一部が突出した複数の凸部２の内部に樹脂部材を一体化してキートップとした薄型の構造である。
【０００４】
この特許文献１の薄型のキーシートをゲーム機能の斜め押しに適用した場合、剛性が弱く、押下した狭いポイントのみが凹んでしまい、その位置の両隣りの２個の接点押圧部７を確実にオンにすることができないという問題がある。
【特許文献１】特開２００３−２１７３９６号公報（頁２〜３、図１、図６、図７）
【発明の開示】
【発明が解決しようとする課題】
【０００５】
携帯電話機等のキーは、十字キー部分は、前述の斜め方向の操作が求められ、一方、テンキー部分等には、斜め方向の操作は不要であるが、良好なクリック感が求められる。本発明は、十字キーの斜め押しが確実にできると共に、テンキーなどの良好なクリック感を有するキーシートユニットを提供することを目的とする。
【課題を解決するための手段】
【０００６】
上記目的を達成するために、本発明のキーシートユニットは、スイッチが十字状に複数個配置される十字キー用のキートップおよび他のキートップが複数主面側に形成されたシートと、前記シートの背面側に貼り付けられ、前記十字キー用のキートップの十字状の複数箇所の押圧箇所とリング部分が重なる形状のリング状の板金と、前記シートの背面側に貼り付けられ、前記板金と厚さが略同じで、前記他のキートップと個々に重なる配置のキートップ対応フィルムと、このキートップ対応フィルムの大きさより細い形状で、当該複数のキートップ対応フィルム間を繋ぐ連結フィルムとを有する樹脂フィルムとを備えることを特徴とする。
【発明の効果】
【０００７】
本発明によれば、板金により十字キーの斜め押しが可能になると共に、しかしながらこの板金により発生するキートップシートの凹凸を解消して平坦にしつつ、テンキーなどの良好なクリック感を維持することが可能となる。
【発明を実施するための最良の形態】
【０００８】
以下、本発明の実施例を、図面を参照して説明する。  
【実施例１】
【０００９】
図１は、本発明の実施例１に係るキースイッチ１００の斜視図であり、キースイッチ１００は、（Ａ）キートップシート１０、（Ｂ）板金２０および樹脂フィルム３０、（Ｃ）印刷基板４０の３層構造として構成される。３層間を貼り付ける接着剤等については、図示説明を省略する。
【００１０】
また、この内、キーシートユニット５０は、（Ａ）キートップシート１０と、（Ｂ）板金２０および樹脂フィルム３０とを、貼り合わせた部分である。
【００１１】
（Ａ）において、キートップシート１０は、ベースシート１１にキートップが一体形成された樹脂シートであり、キートップとしては、十字キートップ１２、その中心部にある確定キートップ１３、複数のテンキートップ１４、電源キートップ１５などがある。十字キートップ１２には十字方向の押圧ポイントを表す図柄、例えば、黒丸１２ａ〜１２ｄが施されている。黒丸１２ａ〜１２ｄは、他の図柄であってもよいし、押圧ポイントがわかるのであれば、なくてもよい。他のキートップにも、図示しないが、それぞれの用途を表す文字や図柄が施されており、携帯端末のユーザは、キートップを押して操作する。
【００１２】
（Ｂ）において、板金２０は、リング状の剛性の強い薄型のＳＵＳ（ステンレス鋼）などの板金であり、十字キーの斜め押しを可能とするための部材であり、（Ａ）キートップシート１０の十字キートップ１２と（Ｃ）印刷基板４０の間に挟まれる。斜め押しについては後述（図２）する。
【００１３】
しかし、板金２０のせいで、キートップシート１０の十字キートップ１２の部分が、他のキートップに比べて浮き上がってしまい、キートップシート１０のキートップ全てが平坦にならない。その対策用に、板金２０と厚さが略同じＰＥＴ（ポリ・エチレン・テレフタラート）などの軽量の樹脂フィルム３０が、（Ａ）キートップシート１０の十字キートップ１２以外のキートップである確定キートップ１３、複数のテンキートップ１４、電源キートップ１５と（Ｃ）印刷基板４０の間に挟まれる。
【００１４】
しかし、樹脂フィルム３０は、これらの確定キートップ１３、複数のテンキートップ１４、電源キートップ１５などのクリック感を低下させる要因になりうるので、（Ｂ）のような形状としている。すなわち、樹脂フィルム３０は、略円形の確定キーフィルム３３、複数のテンキーフィルム３４、これらより大きめの略円形の電源キーフィルム３５、細い連結フィルム３１などから構成される。確定キーフィルム３３は、板金２０の中空部分に配置される。略円形のテンキーフィルム３４は、テンキートップ１４のトップ部分の面積よりも狭い面積である。
【００１５】
確定キーフィルム３３以外のフィルム部分は、連結フィルム３１で連結される。この連結フィルム３１は、テンキーフィルム３４、電源キーフィルム３５などの円形の径よりも細い形状であり、テンキーフィルム３４、電源キーフィルム３５などが独立して存在すると、製造時にバラバラになって製造性が低下することを防ぐためである。また後述（図３）するように、キーの良好なクリック感の維持にもなる。
【００１６】
なお、樹脂フィルム３０の確定キーフィルム３３、複数のテンキーフィルム３４、電源キーフィルム３５は、略円形の形状としたが、これに限らず、略四角形や長方形の形状であってもよい。
【００１７】
樹脂フィルム３０の他の例として、図示しない広い１枚の形状とすることも考えられが、その場合は、キーのクリック感が低下するので好ましくない。
【００１８】
（Ｃ）において、印刷基板４０は、基材４１の上に、スイッチ接点用のキードームなどが構成される。キードームは、可逆性の材質であり、キードームが押されると、内部の図示しないスイッチ接点が短絡して、スイッチがオン状態になるものである。いずれのキードームも同じ形状であるが、用途別に、確定キードーム４３、４個の十字キードーム４２、複数のテンキードーム４４、電源キードーム４５などがある。なお、印刷基板４０にキードームなどが構成されるとしたが、印刷基板ではなく、プラスチック製のものにキードームなどが構成されるようにしてもよい。
【００１９】
（Ａ）（Ｂ）（Ｃ）の十字キーに関連の部材は、（Ａ）キートップシート１０の十字キートップ１２と、（Ｂ）板金２０と、（Ｃ）印刷基板４０の４個の十字キードーム４２とが重なるように配置される。十字キートップ１２の４個の黒丸１２ａ〜１２ｄの位置は、それぞれ、４個の十字キードーム４２と重なる配置である。
【００２０】
（Ａ）（Ｂ）（Ｃ）の十字キー以外の部材は、（Ａ）キートップシート１０の十字キートップ１２以外のキートップである確定キートップ１３、テンキートップ１４、電源キートップ１５と、（Ｂ）樹脂フィルム３０の略円形部分である確定キーフィルム３３、テンキーフィルム３４、電源キーフィルム３５と、（Ｃ）印刷基板４０のキードームである確定キードーム４３、テンキードーム４４、電源キードーム４５とがそれぞれ重なる配置である。
【００２１】
次に、十字キー部分の動作について説明する。  
図２は、本発明の実施例１に係るキースイッチ１００の十字キーおよび確定キー部分の構造図であり、図２（Ａ）は前面図、図２（Ｂ）は断面図である。これらは、図１（Ａ）のキートップシート１０の十字キートップ１２、図１（Ｂ）の板金２０および確定キーフィルム３３、図１（Ｃ）の十字キードーム４２とが重なった状態を示す。図２（Ａ）前面図では、十字キートップ１２部分は、黒丸１２ａ〜１２ｄのみを図示する。
【００２２】
ユーザは、十字キートップ１２の４個の黒丸１２ａ〜１２ｄのいずれか１個を押すと、板金２０を経て、４個の十字キードーム４２のいずれか１個のみを確実にオンにすることができる。十字方向の斜め押しの場合、ユーザは、例えば、黒丸１２ａと１２ｂの間の位置を押すと、その位置は、十字キードーム４２とは重ならない位置であるが、板金２０の剛性が強いので、押された斜め部分の両隣りにある黒丸１２ａと１２ｂの下の２個の十字キードーム４２が共に確実にオンになり、斜め押しされたことが検出される。
【００２３】
これが、背景技術のように板金２０がない構成であると、十字キートップ１２の黒丸１２ａと１２ｂの間の位置の斜め押しされた狭い部分のみが凹んでしまい、押された部分の両隣りにある黒丸１２ａと１２ｂの下の２個の十字キードーム４２を共にオンにすることは難しい。
【００２４】
次に、テンキーおよび電源キーのクリック感について説明する。  
図３は、本発明の実施例１に係るキースイッチ１００のテンキーおよび電源キーのクリック感について説明する図である。図１のＡ−Ａ矢視方向のキースイッチ１００の断面図である。（Ａ）はキー押下前の状態、（Ｂ）はキー押下時の状態を示す。
【００２５】
（Ａ）において、テンキートップ１４の下に略円形のテンキーフィルム３４が配置され、さらにその下に、テンキードーム４４が配置される。また、電源キートップ１５の下に大きめの略円形の電源キーフィルム３５が配置され、さらにその下に、電源キードーム４５が配置される。略円形のテンキーフィルム３４と電源キーフィルム３５などは、細い連結フィルム３１で連結されている。
【００２６】
（Ｂ）は、（Ａ）の状態から、テンキートップ１４、電源キートップ１５を押下したときの変位を示す図である。テンキートップ１４を指で押下すると、通常では、テンキートップ１４のトップ部分の面積と同等程度の範囲に指の押圧力がかかる。そのため、テンキートップ１４が押下されると、テンキートップ１４のトップ部分の面積より狭いテンキーフィルム３４が回りの連結フィルム３１を引っ張りながら下に押される。この連結フィルム３１の引っ張り力は極めて弱く、したがって、テンキートップ１４のクリック感を阻害する要因とはならず、良好なクリック感を維持することができる。
【００２７】
一方、電源キートップ１５が押下されると、電源キーフィルム３５が大きめの形状であるため、電源キーフィルム３５の全体ではなく、電源キーフィルム３５の中央部分が下に押される。このため、この押下に対しては、電源キーフィルム３５の中央部分が電源キーフィルム３５の周縁部分を引っ張ることになり、この引っ張り力は、かなり強いので、クリック感が若干低下する。この目的は、電源キーの場合、誤操作で簡単に押下しただけで電源がオンオフされることを防止するためである。
【００２８】
なお、樹脂フィルム３０の他の例として、図示しない広い１枚の形状とすることも考えられるが、その場合は、図示した樹脂フィルム３０の連結フィルム３１、テンキーフィルム３４、電源キーフィルム３５の部分すべてが図３の図面の奥行き方向に広い形状となる。そのため、キートップを押下したときに押下された樹脂フィルム３０の部分がその回りの広い樹脂フィルム３０を引っ張ることになり、大きな引っ張り力が必要となって、クリック感を阻害することになり、不適である。
【００２９】
実施例１によれば、板金２０により十字キーの斜め押しが可能となり、樹脂フィルム３０によりキートップシート１０が平坦となり、樹脂フィルム３０の略円形部分と細い連結部分の構造により良好なクリック感を維持することができる。また、一部の略円形部分の大きさを大きめにすることにより、該当のキーのクリック感を低下させて、誤操作によるスイッチ操作を防止することができる。
【実施例２】
【００３０】
図４は、本発明の実施例２に係るキースイッチ１００の板金２０と樹脂フィルム３０の斜視図であり、実施例１の図１の（Ｂ）に相当する部分である。図１の（Ａ）キートップシート１０と（Ｃ）印刷基板４０に相当する部分は同じであり、説明を省略する。
【００３１】
実施例１との相違点は、樹脂フィルム３０は、図１（Ｂ）の連結フィルム３１はなく、略円形部分である確定キーフィルム３３、複数のテンキーフィルム３４、電源キーフィルム３５はそれぞれ独立している。また、この略円形部分が独立しているので、製造時に位置合わせを行いやすくするためや、バラバラになることを防ぐために、略円形部分は、製造時専用の製造用フィルム３９（点線部分）に剥離可能に貼り付けられた状態で存在する。
【００３２】
そして、キースイッチ１００の製造時、キートップシート１０の背面に、図４の状態を貼り付けた後に、点線で示した製造用フィルム３９を剥離し、その後、更に、印刷基板４０を貼り付けて、キースイッチ１００が完成する。
【００３３】
なお、テンキーおよび電源キーのクリック感については、実施例１に比べて、細い連結フィルム３１もないので、クリック感を妨げることはなく、良好なクリック感を維持することができる。
【００３４】
実施例２によれば、実施例１と同様に、板金２０により十字キーの斜め押しが可能となり、樹脂フィルム３０によりキートップシート１０が平坦となり、樹脂フィルム３０の略円形部分の構造により良好なクリック感を維持することができる。また、一部の略円形部分の大きさを大きめにすることにより、該当のキーのクリック感を低下させて、誤操作によるスイッチ操作を防止することができる。
【図面の簡単な説明】
【００３５】
【図１】本発明の実施例１に係るキースイッチ１００の斜視図。
【図２】本発明の実施例１に係るキースイッチ１００の十字キーおよび確定キー部分の構造図。
【図３】本発明の実施例１に係るキースイッチ１００のテンキーおよび電源キーのクリック感について説明する図。
【図４】本発明の実施例２に係るキースイッチ１００の板金２０と樹脂フィルム３０の斜視図。
【符号の説明】
【００３６】
１０  キートップシート
１１  ベースシート
１２  十字キートップ
１２ａ〜１２ｄ  黒丸
１３  確定キートップ
１４  テンキートップ
１５  電源キートップ
２０  板金
３０  樹脂フィルム
３１  連結フィルム
３３  確定キーフィルム
３４  テンキーフィルム
３５  電源キーフィルム
３９  製造用フィルム
４０  印刷基板
４１  基材
４２  十字キードーム
４３  確定キードーム
４４  テンキードーム
４５  電源キードーム
５０  キーシートユニット
１００  キースイッチ
【図１】
2009224068.tif 000003
【図２】
2009224068.tif 000004
【図３】
2009224068.tif 000005
【図４】
2009224068.tif 000006